(57)【要約】【課題】ヘルメット本体を効率よく振動板として駆動するヘルメットを提供する。【解決手段】本発明のヘルメット１は、ヘルメット本体３と、ボイスコイル４７が巻回された筒状のボイスコイル巻回部５１を有する振動部３１と、上記ボイスコイル巻回部５１の内部に挿通されてボイスコイル巻回部５１と非接触状態で係り合う磁性部材４５とを含んで構成された駆動装置５Ｌ，５Ｒと、上記駆動装置５Ｌ，５Ｒの磁性部材４５を上記ヘルメット本体３に対して固定するハウジング９とを備える。上記磁性部材４５がヘルメット本体３に対して固定された状態で、上記振動部３１がヘルメット本体３に対して接触し、ヘルメット本体３を振動板として駆動する。【選択図】図４
2005248392.tif 000002
【特許請求の範囲】
【請求項１】
ヘルメット本体と、
ボイスコイルが巻回された筒状のボイスコイル巻回部を有する振動部と、上記ボイスコイル巻回部の内部に挿通されてボイスコイル巻回部と非接触状態で係り合う磁性部材とを含んで構成された駆動装置と、
上記駆動装置の磁性部材を上記ヘルメット本体に対して固定する固定部材とを備え、
上記磁性部材がヘルメット本体に対して固定された状態で、上記振動部がヘルメット本体に対して接触し、ヘルメット本体を振動板として駆動することを特徴とするヘルメット。
【請求項２】
上記固定部材は、上記駆動装置を収容するハウジングであり、
上記ハウジングの開口端部が上記ヘルメット本体の外面に対して固着される請求項１記載のヘルメット。
【請求項３】
上記磁性部材を保持する保持部を有し、上記保持部が上記ハウジングに固定されている請求項２記載のヘルメット。
【請求項４】
上記保持部は大略有天筒状であり、上記保持部の天井部に磁性部材が保持されるとともに、上記保持部の筒状部に対してダンパ部材により振動部が支持されている請求項３記載のヘルメット。
【請求項５】
上記ハウジングの上記保持部と対面する面に弾性部材が固定され、上記弾性部材を介してハウジングと保持部が固定されている請求項３または４記載のヘルメット。 
【発明の詳細な説明】
【技術分野】
【０００１】
本発明は、ヘルメット本体を振動板として駆動するヘルメットに関するものである。
【背景技術】
【０００２】
一般的に、ヘルメット本体はスピーカが設置されていない環境や、騒音が激しい環境等で作業を行ないながら着用されていることが多い。このような環境において、使用者は、ヘルメット本体の着用中に音楽やラジオの音声等を聞く場合には、ヘッドホン型スピーカを耳にあてがったり、イヤホン型スピーカを耳に挿入して音楽等を聴いているのが現状である。
【０００３】
しかし、ヘッドホン型スピーカ等を使用しながら、例えば二輪車等の乗り物を運転したり、工事現場で作業をする場合には、周囲の人の声や他の乗り物の警笛等の周囲の音を聴取し難くなるため、危険を察知できず、ひいては事故につながる可能性がある。
【０００４】
また、ヘルメット本体の内面にスピーカを設けると、内部本来保護されるべき頭部の周囲にスピーカ等の硬い物質が、ヘルメット内面に押された状態で存在することになるため、安全上好ましくない。
【０００５】
そこで、ヘルメットの内部を加工したり部品を取り付けたりすることがなく、かつ頭部に直接取り付けることなく使用でき、装着性が格段に改善され、しかも安全に手軽に使用し得るヘルメットを構成要素とするスピーカ機能を有するヘルメットが提案されている（例えば、下記の特許文献１参照。）。この特許文献１に示されるようなヘルメットでは、帽体の外側面に振動要素が取り付けられ、帽体が振動することによりスピーカ機能を発揮するようになっている。
【特許文献１】特開２００１−３３３４７８号公報
【発明の開示】
【発明が解決しようとする課題】
【０００６】
しかしながら、上記特許文献１に示されるようなものは、駆動部をヘルメット本体の外側面に駆動部を密着させ、ヘルメットがスピーカの振動板としての役割を果たし、ヘルメット内の共鳴、反射によって音声が使用者に伝達されるようになっている。すなわち、このため、ヘルメット本体の外側面に駆動部を密着させているため、駆動部のヘルメット本体と密着する密着面以外の面は支持されない。このため、駆動部がヘルメット本体をスピーカの振動板として駆動する時に駆動部自体が振動し、ヘルメットに対する振動の伝達効率が悪くなり、着用者が音声を明瞭に聞き取り難くなるという問題がある。
【０００７】
本発明は、このような事情に鑑みなされたもので、ヘルメット本体を効率よく振動板として駆動するヘルメットの提供を目的とする。
【課題を解決するための手段】
【０００８】
上記目的を達成するため、本発明のヘルメットは、ヘルメット本体と、ボイスコイルが巻回された筒状のボイスコイル巻回部を有する振動部と、上記ボイスコイル巻回部の内部に挿通されてボイスコイル巻回部と非接触状態で係り合う磁性部材とを含んで構成された駆動装置と、上記駆動装置の磁性部材を上記ヘルメット本体に対して固定する固定部材とを備え、上記磁性部材がヘルメット本体に対して固定された状態で、上記振動部がヘルメット本体に対して接触し、ヘルメット本体を振動板として駆動することを要旨とする。
【発明の効果】
【０００９】
すなわち、本発明のヘルメットによれば、上記磁性部材が上記固定部材により固定されているため、駆動装置の駆動により磁性部材が動くことが防止される。したがって、駆動装置の駆動時には、振動部がヘルメット本体方向へ振動するため、駆動装置の駆動エネルギーの損失が少なくなる。このため、ヘルメット本体が振動板として効率よく駆動する。これにより、使用者は、ヘルメット本体から音を明瞭に聴取することができる。また、上記磁性部材がヘルメット本体に対して固定されているため、使用者は、ヘルメット本体を被ることでヘルメット本体から音を明瞭に聴取しながら、自由に移動することもできる。これにより、スピーカが設置されていない環境において、作業を行ないながら周囲の音を聴取することができるとともに、音楽やラジオの音声などを聞くことができる。
【００１０】
また、上記駆動装置は、ボイスコイルが巻回された筒状のボイスコイル巻回部を有する振動部と、上記ボイスコイル巻回部の内部に挿通されてボイスコイル巻回部と非接触状態で係り合う磁性部材とを含んで構成されているため、駆動装置自体の小型化が実現される。このため、ヘルメット本体の内部に駆動装置を設けることが可能となり、駆動装置が壁等に引っかかることにより使用者が怪我をしてしまうことを防止できるとともに、外観のデザイン性を向上させることができる。
【００１１】
本発明のヘルメットにおいて、上記固定部材は、上記駆動装置を収容するハウジングであり、上記ハウジングの開口端部が上記ヘルメット本体の外面に対して固着される場合には、上記駆動装置全体を雨や外力等から保護することができるとともに、駆動装置の磁性部材をヘルメット本体に対して容易に固定することができる。
【００１２】
本発明のヘルメットにおいて、上記磁性部材を保持する保持部を有し、上記保持部が上記ハウジングに固定されている場合には、上記磁性部材をハウジングに間接的に固定することができるため、例えば、上記ハウジングと保持部との間に空間部を設けることができ、上記ハウジング自体が振動することを防止することができる。
【００１３】
本発明のヘルメットにおいて、上記保持部は大略有天筒状であり、上記保持部の天井部に磁性部材が保持されるとともに、上記保持部の筒状部に対してダンパ部材により振動部が支持されている場合には、上記保持部で振動部を覆いながら支持することができるため、駆動装置を薄型にすることができ、より一層小型化することができる。
【００１４】
本発明のヘルメットにおいて、上記ハウジングの上記保持部と対面する面に弾性部材が固定され、上記弾性部材を介してハウジングと保持部が固定されている場合には、駆動装置に対してハウジングの開口部方向から必要以上の外力が加えられたとしても、その外力を弾性部材により柔らげることができるため、駆動装置の破損を防止することができる。また、例えば、駆動装置をハウジングの開口端面より突き出た位置に設定しておくことで、駆動装置をヘルメット本体に押し付けたとき、駆動装置の振動部がハウジング９の開口端面と反対方向に引っ込められると同時にダンパ部材により保持部がハウジングの開口端面と反対方向に引っ張られ、弾性部材が押し潰され収縮する。このとき、弾性部材の復元により上記保持部がハウジングの開口端面方向に移動する力が働き、ダンパ部材により振動部がハウジングの開口端面方向に引っ張られるため、振動部をヘルメット本体に容易にぴったりと密着させることができる。 
【発明を実施するための最良の形態】
【００１５】
つぎに、本発明を実施するための最良の形態を説明する。
【実施例１】
【００１６】
図ｌおよび図２は、本実施例におけるヘルメットの外観の具体例を示す図である。
【００１７】
このヘルメット１は、ヘルメット本体３と、駆動装置５Ｌ，５Ｒやそれらを制御する制御装置６を有する駆動ユニット８とを備えている。
【００１８】
本実施例のヘルメット本体３は、着用者の耳を覆わないタイプであるが、これに限定されるものではなく、着用者の耳を覆おうタイプ（例えばフルフェイスタイプ）であってもよい。
【００１９】
上記制御装置６は、後述のアンプ２１、バッテリー２３、無線通信機２５等の各種機器により構成され、筐体７により収容されている。
【００２０】
上記駆動装置５Ｌ，５Ｒは、音源から出力された音に関する信号（音信号）に基づいてヘルメット本体３を振動板として駆動するようになっている。音源としては、上記無線通信機２５、ＣＤ（コンパクトディスク）、ＭＤ（ミニディスク）等の記録媒体を再生するプレーヤ７５、携帯電話機７３、ラジオ、ＰＤＡ（個人情報端末）等の端末装置等の音信号を出力する装置が採用される。また、各駆動装置５Ｌ，５Ｒは、それぞれハウジング９に収容され、筐体７に固定された棒状の支持部材１１により支持されている。
【００２１】
図３（Ａ）に示すように、上記ハウジング９内の駆動装置５Ｌ，５Ｒの振動部３１は、ヘルメット本体３の外面に対して接触する位置に設定されている。
【００２２】
上記駆動装置５Ｌ，５Ｒの振動部３１がヘルメット本体３に対して接触した状態で、駆動装置５Ｌ，５Ｒがヘルメット本体３を駆動することで、ヘルメット本体３を着用した着用は、音源からの音信号が駆動装置５Ｌ，５Ｒにより、着用の頭蓋骨等の頭部を介して内耳で聴取することができる。これにより、着用者は、例えば工事現場のような周囲の騒音が激しい場所でも周囲の音を聴取しながら、音楽や音声を楽しむことができる。また、使用者の頭部がヘルメット本体３に接触していない場合（例えば、使用者がヘルメット本体３を着用していない場合）でも音源からの音信号が駆動装置５Ｌ，５Ｒによりヘルメット本体３内の共鳴、反射によって音として使用者に伝達される。
【００２３】
図３（Ｂ）に示すように、各駆動装置５Ｌ，５Ｒは、それぞれアンプ２１から出力される音信号を独立して受信するケーブル１３により接続されている。上記アンプ２１は、駆動装置５Ｌを左用駆動装置とし、駆動装置５Ｒを右用駆動装置として独立制御し、ステレオ出力が実現される。なお、上記アンプ２１は、モノラル出力を行なうように駆動装置５Ｌ，５Ｒを制御してもよい。
【００２４】
各駆動装置５Ｌ，５Ｒのハウジング９の背面には、上記支持部材１１に形成された球状の球状基端部１１ａ（図４）が嵌め込まれる半球形の凹部９ａが設けられている。この球状基端部１１ａがハウジング９の凹部９ａに嵌め合わされ駆動装置５Ｌ，５Ｒが任意の角度方向に回転自在に結合されている。
【００２５】
図１および図２に示すように、ヘルメット本体３には、駆動ユニット８を取り付けるための棒状の取付ねじ１５の一端が固定されている。駆動ユニット８の筐体７の略中央部には、内部の各種機器と接触しないように、上記取付ねじ１５の他端を挿通させるためのトンネル状の取付孔が形成されている。取付ねじ１５には、ねじ山が形成されている。取付ねじ１５の他端を筐体７の取付孔から挿通させ、駆動装置５Ｌ，５Ｒをヘルメット本体３に接触させた位置で取付用雌ねじ１７を締めることにより上記駆動ユニット８がヘルメット本体３に固定される。
【００２６】
なお、ヘルメット本体３に対する駆動ユニット８を取付けるための構成は、取付ねじ１５等によるものに限られるものではなく、適宜構成が設定される。
【００２７】
上記駆動ユニット８の固定により、駆動装置５Ｌ，５Ｒを収容するハウジング９の開口端部が上記ヘルメット本体３の外面の後部に対して固着されることで、駆動装置５Ｌ，５Ｒ全体がハウジング９により覆われ、上記駆動装置５Ｌ，５Ｒ全体を雨や外力等から保護することができる。また、上記ヘルメット本体３の外面に対して固着することができるため、駆動装置５Ｌ，５Ｒの磁性部材４５をヘルメット本体３に対して容易に固定させることができる。
【００２８】
また、駆動装置５Ｌ，５Ｒが固着される位置がヘルメット本体３の外面の後部であるため、駆動装置５Ｌ，５Ｒが着用者の耳から離れることとなり、着用者は周囲の音を聞き取り易くなる。なお、駆動装置５Ｌ，５Ｒが固着される位置は、これに限定されるものではない。
【００２９】
つぎに、図４を参照して、駆動装置５Ｌ，５Ｒの構造について説明する。
【００３０】
上記駆動装置５Ｌ，５Ｒは、ボイスコイル４７が巻回された筒状のボイスコイル巻回部５１を有する振動部３１と、上記ボイスコイル巻回部５１の内部に挿通されてボイスコイル巻回部と非接触状態で係り合う磁性部材４５とを含んで構成されている。
【００３１】
上記ハウジング９の開口端部には、両面接着テープや接着剤等の粘着材３９が設けられている。ハウジング９は、粘着材３９によりヘルメット本体３に対して固定されることで、上記駆動装置５Ｌ，５Ｒの磁性部材４５を上記ヘルメット本体３に対して固定する固定部材として機能する。
【００３２】
本発明のヘルメット１は、上記のような構成により、駆動装置５Ｌ，５Ｒの磁性部材４５（図４）がヘルメット本体３に対して固定された状態で、上記振動部３１がヘルメット本体３に対して接触し、ヘルメット本体３を振動板として駆動する。
【００３３】
このように、上記磁性部材４５が上記固定部材であるハウジング９により固定されているため、駆動装置５Ｌ，５Ｒの駆動により磁性部材４５が動くことが防止される。したがって、駆動装置５Ｌ，５Ｒの駆動時には、振動部３１がヘルメット本体３方向へ振動するため、駆動装置５Ｌ，５Ｒの駆動エネルギーの損失が少なくなる。このため、ヘルメット本体３が振動板として効率よく駆動する。これにより、使用者は、ヘルメット本体３から音を明瞭に聴取することができる。また、上記磁性部材４５がヘルメット本体３に対して固定されているため、使用者は、ヘルメット本体３を被ることでヘルメット本体３から音を明瞭に聴取しながら、自由に移動することもできる。これにより、スピーカが設置されていない環境において、作業を行ないながら周囲の音を聴取することができるとともに、音楽やラジオの音声などを聞くことができる。
【００３４】
また、上記駆動装置５Ｌ，５Ｒは、ボイスコイル４７が巻回された筒状のボイスコイル巻回部５１を有する振動部３１と、上記ボイスコイル巻回部５１の内部に挿通されてボイスコイル巻回部５１と非接触状態で係り合う磁性部材４５とを含んで構成されているため、駆動装置５Ｌ，５Ｒ自体の小型化が実現される。
【００３５】
より詳しく説明すると、上記磁性部材４５は保持部４１により保持され、その保持部４１はハウジング９に固定されている。これにより、上記磁性部材４５をハウジング９に間接的に固定することができるため、図示のように、上記ハウジング９と保持部４１との間に空間部４２を設けることができ、上記ハウジング９自体が振動することを防止することができる。
【００３６】
上記保持部４１は大略有天筒状であり、磁性部材４５は、上記保持部４１の天井部（振動部３１と向かい合う部分）に保持されるとともに、上記保持部４１の筒状部に対してダンパ部材４９により振動部３１が支持されている。このような構成により、上記保持部４１で振動部３１を覆いながら支持することができるため、駆動装置５Ｌ，５Ｒを薄型にすることができ、より一層小型化することができる。
【００３７】
上記保持部４１の両側面の中央部には環状に突起した突起部４１ａが設けられている。その突起部４１ａの上記ハウジング９と対面する面と、上記ハウジング９の上記突起部４１ａと対面する面に、それらを固定する天然ゴム、合成ゴム、バネ、スポンジ、樹脂等で構成される環状の弾性部材４３が設けられている。
【００３８】
すなわち、上記保持部４１の固定は、ハウジング９に固定された弾性部材４３と保持部４１とが固定されることにより行なわれている。
【００３９】
このように、上記ハウジング９の上記保持部４１と対面する面に弾性部材４３が固定され、上記弾性部材４３を介してハウジング９と保持部４１が固定されることで、上記駆動装置５Ｌ，５Ｒに対してハウジング９の開口部方向から必要以上の外力が加えられたとしても、その外力を弾性部材により柔らげることができるため、駆動装置５Ｌ，５Ｒの破損を防止することができる。
【００４０】
また、図４（Ａ）に示すように、駆動装置５Ｌ，５Ｒをハウジング９の開口端面より突き出た位置に設定しておくことで、図４（Ｂ）に示すように、駆動装置５Ｌ，５Ｒをヘルメット本体３に押し付けたとき、駆動装置５Ｌ，５Ｒの振動部３１がハウジング９の開口端面と反対方向（背面方向）に引っ込められると同時にダンパ部材４９により上記保持部４１がハウジング９の背面方向に引っ張られ、弾性部材４３が押し潰され、収縮する。このとき、弾性部材４３の復元により上記保持部４１がハウジング９の開口端面に移動する力が働き、振動部３１がダンパ部材４９によりハウジング９の開口端面に引っ張られるため、振動部３１をヘルメット本体３に容易にぴったりと密着させることができる。
【００４１】
このように、振動部３１をヘルメット本体３にぴったりと密着させることで、振動部３１の振動がヘルメット本体３に無駄なく伝達され、使用者は、音源からの音信号を音質の良い音で聴取することができる。
【００４２】
上記支持部材１１の球状基端部１１ａの表面と凹部９ａの表面は、互いに密着し、両表面の間に設定した駆動装置５Ｌ，５Ｒの角度方向を維持できる力を生じさせるような摩擦係数を有する材料で作られる。球状基端部１１ａと凹部９ａとの結合は、上記半球状の凹部９ａ内に支持部材１１の球状基端部１１ａを押し込んで嵌合させることで行なわれる。この押し込みは、凹部９ａを合成樹脂のような可塑性材料で成形することによって可能になる。すなわち、凹部９ａの開口より大きい球状基端部１１ａは、凹部９ａの入口を押し広げて押し込まれる。
【００４３】
つぎに、図５を参照して、本実施例におけるヘルメット１の機能について説明する。
【００４４】
上記制御装置６は、上記バッテリー２３と、上記無線通信機２５と、外部から音に関する信号（音信号）を入力するための複数の入力端子６５と、上記バッテリー２３から制御装置６等に対する電源の供給と解除を切り替える電源スイッチ６９と、上記アンプ２１から上記駆動装置５Ｌ，５Ｒへ出力する音信号の出力レベルを調節する音量調節スイッチ７１とを含んで構成されている。
【００４５】
上記アンプ２１は、入力された音信号を必要に応じて増幅する増幅器として機能し、使用者による音量調節スイッチ７１の操作に応じて音信号を増幅し、駆動装置５Ｌ，５Ｒに増幅した音信号を出力する。
【００４６】
無線通信機２５は、外部から無線で音信号を受信し、受信した音信号をアンプ２１に入力する。入力端子６５に携帯電話機７３やＣＤプレーヤ等のプレーヤ７５を含む音源と接続でき、それらの出力端子から出力される音信号は接続ケーブルによりアンプ２１に入力される。
【００４７】
上記駆動装置５Ｌ，５Ｒは、アンプ２１から出力された音信号に基づいて上記ヘルメット本体３を駆動するようになっている。
【００４８】
つぎに、図６を参照して、本発明のヘルメット１の使用例について説明する。
【００４９】
本発明のヘルメット１は、上記無線通信機２５を備えているため、無線で音信号を送信する送信局８０が設置された環境のもとで、使用されることで、ヘルメット本体３を着用した使用者（着用者）に対して所定の情報を提供することができる。
【００５０】
例えば、工事現場において、作業員がヘルメット本体３を着用した状態で送信局８０（この場合、監督所）から、例えば、遠く離れた着用者に一斉に同じ作業指示を出すことができる。また、高校野球を開催する球場において、観戦者がヘルメット本体３を着用した状態で送信局８０から「在校生のみなさん。応援よろしくお願いします。」等と無線で送信することで着用者に応援を促すことができる。
【００５１】
このように、本発明のヘルメット１では、着用者は、耳を塞ぐことなく音を聴取できるため、周囲音の聴取に支障が生じることがなく、またヘッドホン型スピーカやイヤホン型スピーカを用いた場合の耳への圧迫感から着用者を解放することが可能となるので、長時間聴取しても疲労感が少ない。さらに、本発明のヘルメット１を着用したときに駆動装置５Ｌ，５Ｒを介して伝達される音は、頭蓋骨を通って直接内耳に到達するので、周囲音が混入しない自然なものとなり、集中して聴取するのが容易である。しかも、着用者は、騒音が激しい場所でも明瞭に聴取することができ、難聴者にも十分聞き取ることができる。
【実施例２】
【００５２】
図７は、本発明のヘルメットの第２の実施例を示す。
【００５３】
図７（Ａ）は、駆動装置５Ｌ，５Ｒの振動部３１がヘルメット本体３に接触している状態を示し、図７（Ｂ）は、駆動装置５Ｌ，５Ｒの振動部３１がヘルメット本体３に接触していない状態を示す。
【００５４】
この実施例では、駆動装置５Ｌ，５Ｒの振動部３１を手動でヘルメット本体３に接触させるようになっている。それ以外は、上記実施例と同様であり、同様の部分には同じ符号を付している。なお、図示において、前述のケーブル１３、支持部材１１、凹部９ａ等は省略している。
【００５５】
図７に示すように、ハウジング９には、上記保持部４１をハウジング９の開口端面方向に押圧する押圧ねじ８１が設けられている。押圧ねじ８１は、ハウジング９の背面を挿通し、上記保持部４１の上記ハウジング９と対面する面と接触するようになっている。押圧ねじ８１の上記保持部４１と接触する部分は、接触時に上記保持部４１の表面を傷つけたり破損したりするのを防止する保護部材８３で被覆されている。この保護部材８３は、例えばゴム、柔軟な可塑性樹脂又は繊維状の被覆で形成される。押圧ねじ８１には、ねじ山が形成され、図７（Ａ）に示す状態から、ハウジング９の外側から押圧用雌ねじ８５を締めることにより保持部４１が開口端面方向に押圧され、前述のように振動部３１がダンパ部材４９により引っ張られ、図７（Ｂ）に示すように、駆動装置５Ｌ，５Ｒの振動部３１をハウジング９の開口端面方向に押し出すことができる。これにより、駆動装置５Ｌ，５Ｒの振動部３１をヘルメット本体３の形状に合わせて適切に接触させることができる。
【００５６】
なお、上記各実施例では、ヘルメットは、駆動装置から音信号がヘルメット本体に対して伝達され、スピーカ機能を果たすようになっているが、これに限定されるものではなく、駆動装置が着用者の発声振動を音信号に変換して制御装置に出力するようにし、マイクロフォンの機能を果たすようにしてもよい。具体的には、使用者が発声等によりヘルメット本体を振動板（ダイアフラム）として駆動することで、駆動装置がヘルメット本体の振動を音信号に変換し、制御装置がその音信号を外部に出力するようにしてもよい。このようにすることにより、前述の固定部材により外部に着用者の声を明瞭に出力することができる。この場合、スピーカ機能（駆動装置がヘルメット本体を振動板として駆動する）とマイクロフォン機能（使用者がヘルメット本体を振動板として駆動する）のいずれを果たすかを切り替える切替手段を設けてもよい。
【００５７】
また、駆動装置は、前述の構成により小型化が実現されるため、駆動装置をヘルメット本体の内部に設け、駆動装置の振動部が例えば頭頂部に当接するようにヘルメット本体内に取り付けておいてもよい。この場合、例えばヘルメット本体の厚みを大きくする等により、ヘルメットの保安基準を考慮してヘルメット内部に加工を加え、駆動装置等をヘルメット本体の内部に埋め込んでもよい。このように、ヘルメット本体の内部に駆動装置を設けることで、駆動装置が壁等に引っかかることにより使用者が怪我をしてしまうことを防止できるとともに、外観のデザイン性を向上させることができる。
【００５８】
また、ヘルメットにマイクロホンを取り付け、上記制御装置がマイクロホンから出力される音信号を携帯電話機や無線通信機に出力する構成とすることで、同時双方向通話が可能になる。
【００５９】
また、前述の複数の入力端子に映像を入出力する映像端子と、使用者に映像を表示する表示装置を設けてもよい。例えば、映像端子を介して映像出力するプレーヤを接続することで、使用者は明瞭な音を聴取しながら映像を見ることができる。また、映像信号を無線で送受信するようにしてもよい。また、カメラを備え、カメラから出力される映像信号を映像端子や無線で出力できるようにしてもよい。これにより、例えば、工事現場での作業状態を映像および音で監督所等に送信することができる。
【００６０】
また、駆動装置の数は、上記各実施例のように２つに限定されるものではなく、任意に設定してもよい。この場合、制御装置が各駆動装置をそれぞれ独立して制御してもよい。このようにすることにより、種々の音響効果を実現することができる。
【００６１】
また、上記各実施例では、上記駆動ユニット８は、上記取付ねじ１５を筐体７の取付孔から挿通させ、駆動装置５Ｌ，５Ｒをヘルメット本体３に接触させた位置で取付用雌ねじ１７を締めることにより上記駆動ユニット８がヘルメット本体３に固定されるようになっている。すなわち固定された雄ねじ（取付ねじ１５）に対して雌ねじ（取付用雌ねじ１７）を締めるようになっているが、これに限定されるものではなく、固定された雌ねじ（後述の固定雌ねじ９１）に対して雄ねじ（後述の締付雄ねじ９３）を締めるようにしてもよい。
【００６２】
例えば、図８に示すように、ヘルメット本体３に対して固定された固定雌ねじ９１と、その固定雌ねじ９１に嵌め込まれる締付雄ねじ９３とを備える。締付雄ねじ９３には、筐体７の後述の筐体側挿通口１０２に嵌らない大きさであり、締付雄ねじ９３を締めることにより筐体７を押圧する押圧部９３ａが設けられている。
【００６３】
上記駆動ユニット８をヘルメット本体３に固定する場合、締付雄ねじ９３を筐体７の取付孔から挿通させ、駆動装置５Ｌ，５Ｒをヘルメット本体３に接触させた位置で固定雌ねじ９１に対して締付雄ねじ９３を締めることにより、押圧部９３ａが筐体７をヘルメット本体３方向に押圧し、上記駆動ユニット８がヘルメット本体３に固定されるようになっている。このようにすることにより、ヘルメット本体３から上記駆動ユニット８を取り外したとき、大きく分けてヘルメット本体３と駆動ユニット８と締付雄ねじ９３とに分けることができ、持ち運びに好適である。
【００６４】
また、上記各実施例では、上記駆動ユニット８は、ねじによって固定されるようになっている。すなわち雌ねじまたは雄ねじを数回転回すことによりしっかりと上記駆動ユニット８を固定できるようになっているが、これに限定されるものではなく、ワンタッチで上記駆動ユニット８をヘルメット本体３に固定できるようにしてもよい。
【００６５】
例えば、図９および図１０に示すように、一端がヘルメット本体３に固定された断面円形状の取付棒１０１と、片面に円形状の傾斜面１０３ａを有する回転カム１０３により上記駆動ユニット８をヘルメット本体３に固定できるようにしてもよい。上記回転カム１０３の傾斜面１０３ａは、一番高い部分と一番低い部分との差（高さｈ）の分だけ、回転カム１０３で筐体７を押圧しながらヘルメット本体３方向に移動させることができるように形成されている。
【００６６】
詳細には、図１０に示すように、取付棒１０１の側面には、突起部１０１ａが設けられている。上記筐体７には、上記取付孔に代えて、取付棒１０１および突起部１０１ａを挿通させる形状を有するトンネル状の筐体側挿通口１０２が設けられている。回転カム１０３は、取付棒１０１と突起部１０１ａが挿通する回転カム側挿通口１０３ｂが形成されている。なお、図示において、駆動装置５Ｌ，５Ｒおよびヘルメット本体３等を省略している。
【００６７】
上記のような構成により、ヘルメット本体３に駆動ユニット８を固定する場合、まず、図１０（Ａ）に示すように、取付棒１０１を筐体７の筐体側挿通口１０２に挿通させ、筐体７から挿通した取付棒１０１を回転カム１０３の回転カム側挿通口１０３ｂに挿通させる。ここで、図１０（Ｂ）に示すように、上記取付棒１０１の突起部１０１ａは、駆動装置５Ｌ，５Ｒがヘルメット本体３に接触した位置で、回転カム１０３の回転カム側挿通口１０３ｂから上記取付棒１０１の突起部１０１ａが出てくる。ここで、回転カム１０３を図示のように回動させることで、回転カム１０３の傾斜面１０３ａが上記取付棒１０１の突起部１０１ａと擦れ合いながら回転する。このとき、回転カム１０３は、ヘルメット本体３方向に移動し、駆動装置５Ｌ，５Ｒがヘルメット本体３に接触するように、筐体７を押圧する。このようにすることにより、図１０（Ｃ）に示すように、駆動装置５Ｌ，５Ｒの開口端部がヘルメット本体３の外面にしっかりと密着した状態で、上記駆動ユニット８がヘルメット本体３に固定される。このように、ワンタッチで上記駆動ユニット８をヘルメット本体３に固定することができるようにすることで、上記駆動ユニット８をヘルメット本体３に取り付ける手間や労力が軽減される。
【実施例３】
【００６８】
図１１は、本発明のヘルメットの第３の実施例を示す。
【００６９】
図１１は、駆動装置５Ｒと筐体７を示し、上記駆動ユニット８の一部を省略して示している。
【００７０】
図１１に示す駆動装置５Ｒは、筐体７の両端部から延びたアーム部１０５により背面から支持されている。上記アーム部１０５の先端部は、筐体７の端部で回動自在に軸支された軸部１０５ａを支点として、ヘルメット本体３（図示していない）方向に回動するようになっている。アーム部１０５は、後述の弾性部材の弾性力により駆動装置５Ｒをヘルメット本体３（図示していない）方向に付勢するようになっている。それ以外は、上記実施例と同様であり、同様の部分には同じ符号を付している。なお、駆動装置５Ｒは、駆動装置５Ｌ側は、駆動装置５Ｒ側と同様であるため、説明を省略している。
【００７１】
図１１（Ａ）は、駆動装置５Ｒをヘルメット本体３方向に付勢する付勢力としてバネ１０７を用いた例を示し、図１１（Ｂ）は、上記付勢力として弾性を有する長板状の長板状樹脂１０９を用いた例を示す。
【００７２】
図１１（Ａ）に示すように、バネ１０７は、アーム部１０５の片側の端部に設けられた突起部１０５ｂと筐体７の内面との間に設けられ、適度な弾性力により突起部１０５ｂをヘルメット本体３と反対方向に押え付けるようになっている。これにより、アーム部１０５の先端部は、軸部１０５ａを支点として駆動装置５Ｒをヘルメット本体３方向に付勢する。
【００７３】
ここで、前述のように、ヘルメット本体３に対して駆動ユニット８が取り付けられ、ヘルメット本体３の外面が駆動装置５Ｒの振動部３１に接触した場合、駆動装置５Ｒがヘルメット本体３から離れる方向に押え付けられ、バネ１０７が突起部１０５ｂにより押え付けられ収縮する。このとき、駆動装置５Ｒは、バネ１０７の復元力（弾性力）により、ヘルメット本体３方向に付勢されるようになっているため、駆動装置５Ｒの振動部３１がヘルメット本体３にぴったりと接触するようになっている。
【００７４】
図１１（Ｂ）に示すように、長板状樹脂１０９は、筐体７の両端部に設けられ、アーム部１０５のヘルメット本体３と反対側の面を押え付けるように設けられている。これにより、ヘルメット本体３に対して駆動ユニット８が取り付けられ、ヘルメット本体３の外面が駆動装置５Ｒの振動部３１に接触した場合、駆動装置５Ｒがヘルメット本体３から離れる方向に押え付けられ、長板状樹脂１０９がヘルメット本体３方向と反対方向に押え付けられる。このとき、駆動装置５Ｒは、長板状樹脂１０９の復元力（元の形状に戻ろうとする力）により、ヘルメット本体３方向に付勢されるようになっているため、駆動装置５Ｒの振動部３１がヘルメット本体３にぴったりと接触するようになっている。
【００７５】
なお、図１１（Ａ）および図１１（Ｂ）に示す各弾性部材は、上記のようなものに限られず、前述の環状の弾性部材と同様のものであってもよい。
【００７６】
なお、上記各実施例では、駆動ユニット８をヘルメット本体３に取り付けるための前述の取付棒や取付ねじ等の駆動ユニット支持部材は略断面円形状であり、それらを通す筐体側挿通口や取付孔等の支持部材挿通口も略円形状であるが、これらに限定されるものではなく、三角形や四角形等の任意の形状であってもよい。
【００７７】
例えば、図１２に示すように、駆動ユニット支持部材として略断面四角形状の駆動ユニット支持部材１１１を設け、その駆動ユニット支持部材１１１がぴったりと嵌め込まれる四角形状の支持部材挿通口１１３を筐体７に設けてもよい。
【００７８】
すなわち、支持部材挿通口が方向性のある形状（角）を有し、駆動ユニット支持部材の断面がその形状に嵌め込まれる形状を有することで、駆動ユニット８が駆動ユニット支持部材を支点として回動してしまうことを防止することができる。
【００７９】
また、支持部材挿通口と駆動ユニット支持部材をそれぞれ複数設けてもよい。この場合、支持部材挿通口と駆動ユニット支持部材が円形状であっても駆動ユニット８の回動を防止することができる。
【００８０】
例えば、図１３に示すように、駆動ユニット支持部材として略断面円形状の駆動ユニット支持部材１１５を２つ設け、それらの駆動ユニット支持部材１１５がぴったりと嵌め込まれる円形状の支持部材挿通口１１７を筐体７にそれぞれに対して設けてもよい。これより、筐体７が２点で支持されるため、駆動ユニット８の回動を防止することができる。
【００８１】
支持部材挿通口と駆動ユニット支持部材が円形状である場合、図１４に示すように、駆動ユニット支持部材１１５に先端面に雌ねじ１２３を形成し、その雌ねじに嵌め込まれる雄ねじ１２１ａと筐体７を押さえる円形状の押さえ部１２１ｂとつまみ部１２１ｃとを含んで構成される駆動ユニット固定部１２１により駆動ユニット８をヘルメット本体３に固定するようにしてもよい。
【００８２】
駆動ユニット８をヘルメット本体３に固定する場合、支持部材挿通口に駆動ユニット支持部材１１５を挿通させ、駆動装置５Ｒの振動部３１がヘルメット本体３にぴったりと接触した状態で、使用者等がつまみ部１２１ｃを指等でつまんで押さえ部１２１ｂを雌ねじ１２３ａに嵌め込んで回すと、筐体７が押さえ部１２１ｂによりヘルメット３方向に移動して押圧し、筐体７がヘルメット本体３と反対方向に移動しないように固定される。これにより、駆動ユニット８をヘルメット本体３に固定することができる。
【００８３】
また、図１５に示すように、駆動ユニット支持部材１１５の先端面に、直径方向に形成されたスリット１４１ａと、そのスリット１４１ａの下部から円周方向に設けられた円周溝１４１ｂと、その円周溝１４１ｂの先端部に駆動ユニット支持部材１１５の先端方向に向かって切り欠いた切欠部１４１ｃを設け、駆動ユニット固定部１２１の中心部から垂直方向に延びた軸１４３の先端部に棒状の嵌入部１４４を設けてもよい。
【００８４】
駆動ユニット８をヘルメット本体３に取り付ける場合、棒状の嵌入部１４４を上記スリット１４１ａに沿って入れ込み、切欠部１４１ｃまで円周溝１４１ｂに沿って回転させる。ここで、前述のように、駆動装置５Ｒの振動部３１がヘルメット本体３に接触すると、上記環状の弾性部材４３により筐体７が駆動ユニット支持部材１１５の先端方向に移動する力が生じるため、嵌入部１４４が切欠部１４１ｃに嵌り、駆動ユニット固定部１２１が駆動ユニット支持部材１１５から自然に取り外れてしまうことを防止することができる。
【００８５】
また、図１６に示すように、駆動ユニット支持部材１１５の円周溝１４１ｂは、スリット１４１ａからヘルメット本体３方向に傾斜していてもよい。このようにすることにより、駆動装置５Ｒの振動部３１をヘルメット本体３にしっかりと接触させることができる。
【００８６】
また、図１７に示すように、外周面に凹部１４５ａが形成された円形状の円形状突起部１４５をヘルメット本体３の外面に対して固定し、上記凹部１４５ａに嵌め込まれる凸部１４７ａが内周面に形成された円形状の把持部１４７を筐体７に設ける。円形状突起部１４５や把持部１４７は、ゴムや軟性の樹脂等で構成されている。
【００８７】
上記把持部１４７は、凸部１４７ａが円形状突起部１４５に押し付けられ外側に撓むことで凸部１４７ａが円形状突起部１４５の凹部１４５ａに嵌め込まれ、円形状突起部１４５を把持するようになっている。これにより、使用者は、駆動ユニット８をヘルメット本体３にワンタッチで固定することができる。また、構造がシンプルであるため、外観上のデザイン性に優れ、製造コスト削減を図ることができる。逆に、駆動ユニット８をヘルメット本体３から取り外す場合は、上記凸部１４７ａと凹部１４５ａの結合部をこじることで取り外すことができる。
【００８８】
また、図１８に示すように、適度に撓む樹脂等により形成され、筐体７に当接する固定ピン１５１と、ヘルメット本体３に固定され、固定ピン１５１を掛止する掛止部１５３とを設け、固定ピン１５１を筐体７に挿通させて掛止部１５３に掛けて止め、駆動ユニット８をヘルメット本体３に固定するようにしてもよい。このようにすることにより、使用者は、ワンタッチで駆動ユニット８の取り付け、取り外しが可能になるため便利である。
【００８９】
なお、上記各実施例に示す構成は、適宜組み合わせて設定することができる。
【図面の簡単な説明】
【００９０】
【図１】本発明のヘルメットの外観を示す斜視図である。
【図２】駆動ユニットを示す図である。
【図３】（Ａ）は、駆動装置を正面から見た斜視図であり、（Ｂ）は、駆動装置を背面から見た斜視図である。
【図４】駆動装置の構造を示す断面図である。
【図５】ヘルメットの機能ブロック図である。
【図６】ヘルメットの使用例を示す図である。
【図７】第２の実施例のヘルメットの駆動装置の構造を示す断面図である。
【図８】駆動ユニットを示す図である。
【図９】駆動ユニットを示す図である。
【図１０】図９に示す駆動ユニットの固定方法を示す図である。
【図１１】第３の実施例の駆動ユニットを示す図である。
【図１２】駆動ユニットの固定を示す図である。
【図１３】駆動ユニットの固定を示す図である。
【図１４】駆動ユニットの固定部を示す図である。
【図１５】駆動ユニットの固定部を示す図である。
【図１６】駆動ユニットの固定部を示す図である。
【図１７】駆動ユニットの固定部を示す図である。
【図１８】駆動ユニットの固定部を示す図である。
【符号の説明】
【００９１】
１        ヘルメット
３        ヘルメット本体
５Ｌ      駆動装置
５Ｒ      駆動装置
６        制御装置
７        筐体
８        駆動ユニット
９        ハウジング
９ａ      凹部
１１      支持部材
１１ａ    球状基端部
１３      ケーブル
１５      取付ねじ
１７      取付用雌ねじ
２１      アンプ
２３      バッテリー
２５      無線通信機
３１      振動部
３９      粘着材
４１      保持部
４１ａ    突起部
４２      空間部
４３      弾性部材
４５      磁性部材
４７      ボイスコイル
４９      ダンパ部材
５１      ボイスコイル巻回部
６５      入力端子
６９      電源スイッチ
７１      音量調節スイッチ
７３      携帯電話機
７５      プレーヤ
８０      送信局
８１      押圧ねじ
８３      保護部材
８５      押圧用雌ねじ
９１      固定雌ねじ
９３      締付雄ねじ
９３ａ    押圧部
１０１    取付棒
１０１ａ  突起部
１０２    筐体側挿通口
１０３    回転カム
１０３ａ  傾斜面
１０３ｂ  回転カム側挿通口
１０５    アーム部
１０５ａ  軸部
１０５ｂ  突起部
１０７    バネ
１０９    長板状樹脂
１１１    駆動ユニット支持部材
１１３    支持部材挿通口
１１５    駆動ユニット支持部材
１１７    支持部材挿通口
１２１    駆動ユニット固定部
１２１ａ  雄ねじ
１２１ｂ  押さえ部
１２１ｃ  つまみ部
１２３    雌ねじ
１２３ａ  雄ねじ
１４１ａ  スリット
１４１ｂ  円周溝
１４１ｃ  切欠部
１４３    軸
１４４    嵌入部
１４５    円形状突起部
１４５ａ  凹部
１４７    把持部
１４７ａ  凸部
１５１    固定ピン
１５３    掛止部
【図１】
2005248392.tif 000003
【図２】
2005248392.tif 000004
【図３】
2005248392.tif 000005
【図４】
2005248392.tif 000006
【図５】
2005248392.tif 000007
【図６】
2005248392.tif 000008
【図７】
2005248392.tif 000009
【図８】
2005248392.tif 000010
【図９】
2005248392.tif 000011
【図１０】
2005248392.tif 000012
【図１１】
2005248392.tif 000013
【図１２】
2005248392.tif 000014
【図１３】
2005248392.tif 000015
【図１４】
2005248392.tif 000016
【図１５】
2005248392.tif 000017
【図１６】
2005248392.tif 000018
【図１７】
2005248392.tif 000019
【図１８】
2005248392.tif 000020